(57)【要約】【課題】特定のエラー（軽度エラー）を表示しないようにし、もって監視作業の混乱と煩わしさを解消する。【解決手段】ローカル／リモート監視端末３２は、ネットワーク上に散在する各サイト（サイトＡ〜Ｄ）及び各サイトに設置された機器を図形化してモニター画面に表示する表示手段、各サイトに設置された機器の動作状態を示す情報を収集する収集手段、収集された情報がエラーを示している場合に前記モニター画面に表示された各サイトの図形及び各サイトの設置機器の図形のうち当該情報に対応する図形の表示属性を、オペレータに対して警告を行うことを意図した所定の属性に変更する一方、前記エラーが所定の軽度エラーである場合に該属性の変更を行わない属性変更手段を備える。【選択図】　図１
2004078369.tif 000002
【特許請求の範囲】
【請求項１】
ネットワーク上に散在する少なくとも放送素材生成サイトと放送素材利用サイトの状態監視を行うサイト状態監視方法であって、
前記ネットワーク上に散在する各サイト及び各サイトに設置された機器を図形化してモニター画面に表示する第１の工程と、
前記ネットワーク上に散在する各サイトに設置された機器の動作状態を示す情報を収集する第２の工程と、
前記第２の工程で収集された情報がエラーを示している場合に、前記モニター画面に表示された各サイトの図形及び各サイトの設置機器の図形のうち当該情報に対応する図形の表示属性を、オペレータに対して警告を行うことを意図した所定の属性に変更し、前記エラーが所定の軽度エラーである場合に該属性の変更を行わない第３の工程と
を含むことを特徴とするサイト状態監視方法。
【請求項２】
ネットワーク上に散在する少なくとも放送素材生成サイトと放送素材利用サイトの状態監視を行うサイト状態監視装置であって、
前記ネットワーク上に散在する各サイト及び各サイトに設置された機器を図形化してモニター画面に表示する表示手段と、
前記ネットワーク上に散在する各サイトに設置された機器の動作状態を示す情報を収集する収集手段と、
前記収集手段によって収集された情報がエラーを示している場合に、前記モニター画面に表示された各サイトの図形及び各サイトの設置機器の図形のうち当該情報に対応する図形の表示属性を、オペレータに対して警告を行うことを意図した所定の属性に変更する一方、前記エラーが所定の軽度エラーである場合に該属性の変更を行わない属性変更手段と
を備えたことを特徴とするサイト状態監視装置。
【請求項３】
さらに、前記所定の軽度エラーの種類を指定する指定手段を有することを特徴とする請求項２記載のサイト状態監視装置。
【請求項４】
コンピュータに所定の処理機能を実行させるためのプログラムであって、
前記処理機能は、
ネットワーク上に散在する各サイト及び各サイトに設置された機器を図形化してモニター画面に表示する表示手段と、
前記ネットワーク上に散在する各サイトに設置された機器の動作状態を示す情報を収集する収集手段と、
前記収集手段によって収集された情報がエラーを示している場合に、前記モニター画面に表示された各サイトの図形及び各サイトの設置機器の図形のうち当該情報に対応する図形の表示属性を、オペレータに対して警告を行うことを意図した所定の属性に変更する一方、前記エラーが所定の軽度エラーである場合に該属性の変更を行わない属性変更手段と
を含むことを特徴とするプログラム。
【請求項５】
請求項４記載のプログラムを格納した記録媒体。
【発明の詳細な説明】
【０００１】
【発明の属する技術分野】
本発明は、複数の拠点（本明細書では「サイト」という）からなる映像情報伝送ネットワークに適用するサイト状態監視方法、サイト状態監視装置及びその制御プログラム並びにその制御プログラムを格納した記録媒体に関する。
【０００２】
詳しくは、放送素材の生成サイトや放送素材の利用サイト及びその間に含まれる中継サイトに設置された各種機器の動作監視を集中的に行うサイト状態監視方法、サイト状態監視装置及びその制御プログラム並びにその制御プログラムを格納した記録媒体に関する。
【０００３】
【従来の技術】
図１３は、テレビジョン放送素材等の映像情報伝送ネットワークを示す概念図である。（ａ）は、たとえば、契約局や中継車などの放送素材の生成ポイント１と、その生成ポイント１から受け取った放送素材を利用（たとえば、送出のための利用）する放送局などの利用ポイント２とによって構成された、いわゆるＰｏｉｎｔ　ｔｏ　Ｐｏｉｎｔ型の映像情報伝送ネットワークである。このネットワークでは、生成ポイント１と利用ポイント２が一対一に対応するため、生成ポイント１や利用ポイント２及びそのポイント間の伝送経路中に障害が発生しても、障害の検出や障害の原因特定に特別困難な技術を要しない。
【０００４】
これに対して、（ｂ）は、複数のサイト（便宜的にサイトＡ〜サイトＧ）からなる映像情報伝送ネットワークである。各サイトは、たとえば、世界各国の主要都市などに配置される。各サイトは、中核サイトからの制御により、放送素材の生成サイトになったり、放送素材の利用サイトになったり、又は、放送素材の中継サイトになったりすることができる。今、サイトＦを中核サイトとし、このサイトＦからの制御により、サイトＡが放送素材の生成サイトとして動作し、サイトＤが放送素材の中継サイトとして動作し、サイトＧが放送素材の利用サイトとして動作するものと仮定する。
【０００５】
このような場合、各サイトに設置された機器　−−−−−−　サイト間やサイト内の伝送経路を変更するためのルーティングスイッチ、放送素材の伝送データ量を削減するため圧縮装置（たとえば、ＭＰＥＧエンコーダ）、その伸張装置（同ＭＰＥＧデコーダ）、サイト間の伝送プロトコル（たとえば、ＡＴＭ）に対応したデータ変換装置など　−−−−−−　がすべて正常に動作していれば、サイトＡで生成された放送素材は、支障なくサイトＤを経由してサイトＧに伝送される。
【０００６】
このように、（ｂ）に示された映像情報伝送ネットワークは、中核サイトからの制御により、各サイトの役割を任意に変更して、あるサイトから他のサイトへの放送素材の伝送経路設定を柔軟且つ臨機応変に行うことができる点で、上記（ａ）のＰｏｉｎｔ　ｔｏ　Ｐｏｉｎｔ型よりも優れているが、システムの複雑化を否めず、各サイトや伝送経路途中に障害が発生した場合は、その障害発生箇所や原因の特定に長い時間と困難を伴うという問題点があった。
【０００７】
そこで、本件出願人は、先に、このような複数のサイトから構成される映像情報伝送ネットワークに適用して好適な「サイト状態監視方法」を提案している（特願２００１−１０４４３３号／出願日：平成１３年４月３日）。
【０００８】
この提案の技術は、ネットワーク上に散在するすべてのサイトをオブジェクトにして表示する第１のグラフィカルユーザインターフェースと、各サイトごとにそのサイトに設けられた機器をオブジェクトにして表示する第２のグラフィカルユーザインターフェースとを用いて、各サイトの状態監視を行うようにしたものであり、詳細には、前記第１のグラフィカルユーザインターフェース及び第２のグラフィカルユーザインターフェースは、各オブジェクトの色または各オブジェクト間を結ぶ線の色をサイト状態もしくは機器状態に応じて変更するというものである。
【０００９】
これによれば、中核サイトに設置された端末で、第１のグラフィカルユーザインターフェースと第２のグラフィカルユーザインターフェースとを表示してそれをオペレータが監視し、それらのグラフィカルユーザインターフェース上の各オブジェクトの色または各オブジェクト間を結ぶ線の色を確認することにより、サイト状態もしくは機器状態をリアルタイムに把握することができ、障害の発生検知とその原因特定を速やかに行うことができる。
【００１０】
【発明が解決しようとする課題】
しかしながら、上記提案の技術にあっては、サイト状態もしくは機器状態をビジュアルに表示し、障害の発生検知とその原因特定を速やかに行うことができる点で有益であるが、障害の軽重に関わらず、すべての障害を表示する仕組みになっていたため、以下の点で改善すべき余地があった。
【００１１】
前記図１３（ｂ）の映像情報伝送ネットワークで発生する障害は多種多様である。つまり、障害の種類は、各サイトの機器構成やサイト間の伝送プロトコルに依存して多岐にわたる。そして、それらの障害は、一刻も早い復旧を要する致命的エラーと、機器の仕組み上やむを得ず発生する一時的な障害（伝送そのものに大きな影響を与えない軽度エラー）とに分けることができる。
【００１２】
前者の致命的エラーについては、当然ながら速やかな対処が必要であるが、後者の軽度エラーについては、伝送そのものに大きな影響を与えないから、そのまま放置しても差し支えないものである。にも関わらず、上記提案の技術にあっては、かかる軽度エラーも余すことなくビジュアルに表示する仕組みになっていたため、警告が多発し、監視作業に混乱を来すおそれがある。しかも、この軽度エラーは、たとえば、ハイビジョン映像信号（ＨＤ）から標準映像信号（ＳＤ）への切り換え（又はその逆への切り換え）や現用系から予備系への切り換え（又はその逆への切り換え）の際にも発生することがあり、かかる切替は結構頻繁に行われるため、その都度、警告が発生して煩わしい。
【００１３】
したがって、本発明が解決しようとする課題は、特定のエラー（軽度エラー）を表示しないようにし、もって監視作業の混乱と煩わしさを解消することを目的とする。
【００１４】
【課題を解決するための手段】
本発明は、ネットワーク上に散在する少なくとも放送素材生成サイトと放送素材利用サイトの状態監視を行うサイト状態監視方法に係るものであり、
その特徴とする事項は、
前記ネットワーク上に散在する各サイト及び各サイトに設置された機器を図形化してモニター画面に表示する第１の工程と、
前記ネットワーク上に散在する各サイトに設置された機器の動作状態を示す情報を収集する第２の工程と、
前記第２の工程で収集された情報がエラーを示している場合に、前記モニター画面に表示された各サイトの図形及び各サイトの設置機器の図形のうち当該情報に対応する図形の表示属性を、オペレータに対して警告を行うことを意図した所定の属性に変更し、前記エラーが所定の軽度エラーである場合に該属性の変更を行わない第３の工程とを含むというものである。
また、本発明は、ネットワーク上に散在する少なくとも放送素材生成サイトと放送素材利用サイトの状態監視を行うサイト状態監視装置に係るものであり、
その特徴とする事項は、
前記ネットワーク上に散在する各サイト及び各サイトに設置された機器を図形化してモニター画面に表示する表示手段と、
前記ネットワーク上に散在する各サイトに設置された機器の動作状態を示す情報を収集する収集手段と、
前記収集手段によって収集された情報がエラーを示している場合に、前記モニター画面に表示された各サイトの図形及び各サイトの設置機器の図形のうち当該情報に対応する図形の表示属性を、オペレータに対して警告を行うことを意図した所定の属性に変更する一方、前記エラーが所定の軽度エラーである場合に該属性の変更を行わない属性変更手段とを備えるというものである。
これらの発明では、ネットワーク上に散在する各サイト及び各サイトに設置された機器のいずれかに障害が発生した場合、その障害内容に応じた情報が収集手段によって収集され、モニター画面上の該当する図形の表示属性が変更される。これにより、オペレータに対して所要の警告が与えられるが、収集された情報が所定の軽度エラーを示している場合は、警告は行われない。したがって、そのまま放置しても差し支えない軽度のエラーを無視することができ、監視作業の混乱回避と煩わしさの解消を図ることができる。
又、本発明の好ましい態様は、さらに、前記所定の軽度エラーの種類を指定する指定手段を有するというものである。
この態様では、警告を行わない軽度エラーの種類を適宜に指定できるため、システムの構成に応じて柔軟に警告／非警告の組み合わせを設定することができ、多種多様なシステムに対する汎用性を高めることができる。
【００１５】
【発明の実施の形態】
以下、本発明の実施の形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１６】
１．映像情報伝送ネットワークの概念構成
図１は、映像情報ネットワークの概念構成図である。この構成図は、前出（図１３（ｂ））の映像情報伝送ネットワークにおけるいくつかのサイト（便宜例として、サイトＡ、サイトＢ、サイトＣ及びサイトＤとする）と、そのサイト間のデータ伝送経路を模式化して示すものである。ここで、サイトＡは放送素材の生成サイトであり、サイトＤは放送素材の利用サイトである。また、サイトＢとサイトＣは中継サイトであり、さらに、各サイトをコントロールする中核サイトは、便宜上、サイトＤであるものとする。
【００１７】
サイトＡ（放送素材の生成サイト）は、たとえば、現用系／予備系の２系統のベースバンドハイビジョンテレビ放送信号（ＨＤＴＶ−１、ＨＤＴＶ−２）と、同２系統のベースバンド標準テレビジョンテレビ放送信号（ＳＤＴＶ−１、ＳＤＴＶ−２）とを生成し、それぞれを圧縮して一つの信号にマルチプレクスした後、ネットワークの伝送プロトコル（便宜的にＡＴＭ）に対応したデータ形式に変換して高速ネットワーク回線１０に出力するための各種機器を備える。
【００１８】
すなわち、図示の例においては、サイトＡ（放送素材の生成サイト）は、ハイビジョンテレビジョン放送信号用の圧縮装置として機能する２系統のＭＰＥＧエンコーダ（略号：ＨＤ＿ＥＮＣ＿Ｐ／ＨＤ＿ＥＮＣ＿Ｓ；末尾の“Ｐ”はＰｒｉｍａｒｙの略で現用系を表し、“Ｓ”はＳｅｃｏｎｄａｒｙの略で予備系を表す。以下同様とする。）１１、１２と、標準テレビジョン放送信号用の圧縮装置として機能する２系統のＭＰＥＧエンコーダ（略号：ＳＤ＿ＥＮＣ＿Ｐ／ＳＤ＿ＥＮＣ＿Ｓ）１３、１４と、２系統のマルチプレクサ（略号：ＭＰＸ＿Ｐ／ＭＰＸ＿Ｓ）１５、１６と、プロトコル変換用のネットワークインターフェース装置（略号：ＮＩＵ）１７と、それら各装置間の信号切り換えを行うためのルーティングスイッチ装置（略号：ＴＳ＿ＳＷ）１８と、サイト内機器の動作監視（ローカル監視）を行うと共にそのローカル監視情報をインターネット等のネットワーク１９を介して中核サイト（サイトＤ）の出力するローカル監視端末２０とを備える。
【００１９】
サイトＢ及びサイトＣ（放送素材の中継サイト）は、サイトＡとサイトＤの間の中継点に位置し、伝送データの中継を行うための機器（たとえば、不図示のＡＴＭルータなど）を備えると共に、サイト内機器の動作監視（ローカル監視）を行い、そのローカル監視情報をインターネット等のネットワーク１９を介して中核サイト（サイトＤ）に出力するローカル監視端末２１、２２を備える。
【００２０】
サイトＤ（放送素材の利用サイト）は、最終中継サイト（図ではサイトＣ）から高速ネットワーク回線２３を介して伝送されたデータを受け取り、それをデマルチプレクスして、各々２系統（現用系／予備系）のＭＰＥＧハイビジョン放送信号と標準テレビジョン放送信号に分離し、各信号をデコードしてベースバンドのハイビジョン放送信号（ＨＤＴＶ−１、ＨＤＴＶ−２）と標準テレビジョン放送信号（ＳＤＴＶ−１、ＳＤＴＶ−２）を再生するための各種機器を備える。
【００２１】
すなわち、図示の例においては、サイトＤ（放送素材の利用サイト）は、プロトコル変換用のネットワークインターフェース装置（略号：ＮＩＵ）２４と、２系統のデマルチプレクサ（略号：ＤＥＭＰＸ＿Ｐ／ＤＥＭＰＸ＿Ｓ）２５、２６と、ハイビジョンテレビジョン放送信号用の伸張装置として機能する２系統のＭＰＥＧデコーダ（略号：ＨＤ＿ＤＥＣ＿Ｐ／ＨＤ＿ＤＥＣ＿Ｓ）２７、２８と、標準テレビジョン放送信号用の伸張装置として機能する２系統のＭＰＥＧデコーダ（略号：ＳＤ＿ＤＥＣ＿Ｐ／ＳＤ＿ＤＥＣ＿Ｓ）２９、３０と、それら各装置間の信号切り換えを行うためのルーティングスイッチ装置（略号：ＴＳ＿ＳＷ）３１と、サイト内機器の動作監視（ローカル監視）を行うと共に、自サイト以外の他サイトから送られてきたローカル監視情報に基づいてそれら他サイトの動作監視（リモート監視）も行うローカル／リモート監視端末（サイト状態監視装置）３２とを備える。
【００２２】
図２は、リモート端末２０〜２２及びローカル／リモート監視端末３２の概念構成図である。以下、ローカル／リモート監視端末３２で代表して説明する。ローカル／リモート監視端末３２は、特に限定しないが、たとえば、ＩＢＭ　ＰＣ／ＡＴ互換アーキテクチャのコンピュータである。同アーキテクチャのコンピュータにおけるハードウェア構成は、概略的に、ＣＰＵ（表示手段、収集手段、属性変更手段、指定手段）３２ａ、ＲＡＭ３２ｂ、ディスクコントローラ３２ｃ、ディスク装置３２ｄ、ディスプレイコントローラ３２ｅ、ディスプレイ装置（表示手段）３２ｆ、キーボードコントローラ３２ｇ、キーボード装置３２ｈ、ポインティングデバイス装置３２ｉ、ネットワーク用インターフェース３２ｊ、自サイト内各機器用インターフェース３２ｋ、メインバス３２ｍ、バスインターフェース３２ｎ及び内部バス３２ｐなどを有する。
【００２３】
ローカル／リモート監視端末３２は、ディスク装置３２ｄにあらかじめ格納されたオペレーティングシステムや各種のアプリケーションプログラムなどのソフトウェアリソースを、ＲＡＭ３２ｂにロードしてＣＰＵ３２ａで実行することにより、そのソフトウェアリソースと上記の各ハードウェアリソースとの有機的結合によって様々な処理機能を実現する。
【００２４】
機能の一つは、自サイト及び他サイトに設置された各機器の状態監視を行う機能である。すなわち、ローカル／リモート監視端末３２は、当該機能により、
▲１▼　自サイト内各機器用インターフェース３２ｋを介して自サイトの各機器（ＮＩＵ２４、ＤＥＭＰＸ＿Ｐ２５、ＤＥＭＰＸ＿Ｓ２６、ＨＤ＿ＤＥＣ＿Ｐ２７、ＨＤ＿ＤＥＣ＿Ｓ２８、ＳＤ＿ＤＥＣ＿Ｐ２９、ＳＤ＿ＤＥＣ＿Ｓ３０、ＴＳ＿ＳＷ３１など）の動作情報を収集し、それらの自サイト機器の状態監視を行うことができると共に、
▲２▼　ネットワーク用インターフェース３２ｊを介して他サイトのローカル監視端末２０と他サイトの各機器（たとえば、放送素材の生成サイトであるサイトＡのＨＤ＿ＥＮＣ＿Ｐ１１、ＨＤ＿ＥＮＣ＿Ｓ１２、ＳＤ＿ＥＮＣ＿Ｐ１３、ＳＤ＿ＥＮＣ＿Ｓ１４、ＭＰＸ＿Ｐ１５、ＭＰＸ＿Ｓ１６、ＮＩＵ１７、ＴＳ＿ＳＷ１８など）の動作情報を収集し、それらの他サイト機器の状態監視を行うことができるものであり、且つ、
▲３▼　これらの状態監視機能を実現するためのユーザインターフェース（図４の全体ネットワーク構成表示用ＧＵＩ画面５０及び図５のサイト機器構成表示用ＧＵＩ画面７０参照）をディスプレイ装置３２ｆに表示することができるものである。
【００２５】
図３は、サイトＤに設置されたローカル／リモート監視端末３２とサイトＡに設置されたローカル監視端末２０のアプリケーション構造図である。ローカル／リモート監視端末３２は、自サイト及び他サイト内の各機器３２〜３６（サイトＤにあってはＮＩＵ２４、ＤＥＭＰＸ＿Ｐ２５、ＤＥＭＰＸ＿Ｓ２６、ＨＤ＿ＤＥＣ＿Ｐ２７、ＨＤ＿ＤＥＣ＿Ｓ２８、ＳＤ＿ＤＥＣ＿Ｐ２９、ＳＤ＿ＤＥＣ＿Ｓ３０、ＴＳ＿ＳＷ３１など、サイトＡにあってはＨＤ＿ＥＮＣ＿Ｐ１１、ＨＤ＿ＥＮＣ＿Ｓ１２、ＳＤ＿ＥＮＣ＿Ｐ１３、ＳＤ＿ＥＮＣ＿Ｓ１４、ＭＰＸ＿Ｐ１５、ＭＰＸ＿Ｓ１６、ＮＩＵ１７、ＴＳ＿ＳＷ１８など）に対応した複数のデバイスコントローラ（収集手段）３７〜３９と、それらのデバイスコントローラ３７〜３９を制御して自サイト内及び他サイト内各機器３２〜３６の動作状態の情報を収集すると共に、その収集情報を他サイトのローカル監視端末（たとえば、サイトＡのローカル監視端末２０）に配信するホストプログラム（表示手段、収集手段）４０と、ホストプログラム４０で収集した情報をビジュアルに表示するグラフィカルユーザインターフェース部（表示手段、属性変更手段、指定手段）４１とを有する。
【００２６】
リモート監視端末２０は、ローカル／リモート監視端末３２から配信された情報を受け取るホストプログラム４２と、その配信情報をビジュアルに表示するグラフィカルユーザインターフェース部４３とを有する。
【００２７】
ローカル／リモート監視端末３２のデバイスコントローラ３７〜３９と他サイト（図ではサイトＡ）の各機器３５、３６との間の通信は、たとえば、ＩＥＴＦ（Ｉｎｔｅｒｎｅｔ　Ｅｎｇｉｎｅｅｒｉｎｇ　Ｔａｓｋ　Ｆｏｒｃｅ）で標準化されたＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）ネットワーク環境での管理プロトコルの一つであるＳＮＭＰ（Ｓｉｍｐｌｅ　Ｎｅｔｗｏｒｋ　Ｍａｎａｇｅｍｅｎｔ　Ｐｒｏｔｏｃｏｌ）によって行う。
【００２８】
ＳＮＭＰ部（収集手段）４４は、上記ＳＮＭＰの「ＳＮＭＰマネージャ」として機能するものである。ＳＮＭＰ部４４は、他サイト内各機器３５、３６に実装された「ＳＮＭＰエージェント」からのＳＮＭＰ−ＴＲＡＰを受付けてデバイスコントローラ３７〜３９に通知し、この通知を受けたデバイスコントローラ３７〜３９は、ＳＮＭＰ−ＴＲＡＰ発生元の機器との間でＭＩＢ（Ｍａｎａｇｅｍｅｎｔ　Ｉｎｆｏｒｍａｔｉｏｎ　Ｂａｓｅ）と呼ばれる管理情報を交換し、当該機器の動作情報を収集する。ＳＮＭＰ部４４は、ホストプログラム４０の一機能（ホストプログラム４０の実装機能）であってもよいが、ホストプログラム４０の負荷を軽減する点で、図示のようにホストプログラム４０から分離独立させておく方が好ましい。
【００２９】
２．ユーザインターフェースの構成
図４は、ローカル／リモート監視端末３２のディスプレイ装置３２ｆに表示されるＧＵＩ（グラフィカルユーザインターフェース）画面を示す図である。図示のＧＵＩ画面は、グラフィカルユーザインターフェース部４１によって提供されるいくつかのＧＵＩ画面のうちの一つ（以下「全体ネットワーク構成表示用ＧＵＩ画面５０」という）である。この全体ネットワーク構成表示用ＧＵＩ画面５０は、縦横固定サイズ又は可変サイズのウィンドウオブジェクト５１の上端にタイトルバーオブジェクト５２を配置すると共に、タイトルバーオブジェクト５２の下にクライアントエリアオブジェクト５３を配置した一般的なウィンドウレイアウト構成を有している。
【００３０】
クライアントエリアオブジェクト５３は、監視対象伝送ネットワークの全体構成をビジュアルに表示するための領域として用いられる。すなわち、このクライアントエリアオブジェクト５３は、監視対象伝送ネットワークを構成するすべてのサイトを表す図形（矩形オブジェクト５４〜５８）を適当な場所に配置し、且つ、各々の矩形オブジェクト５４〜５８の間をデータ伝送経路を表す直線オブジェクト５９〜６９で接続することにより、監視対象伝送ネットワークの実際の構成を模式化して表示する。たとえば、左端の矩形オブジェクト５４は“サイトＡ”を表し、左から２番目の矩形オブジェクト５５は“サイトＢ”を表し、中央の矩形オブジェクト５６は“サイトＣ”を表し、右から２番目の矩形オブジェクト５７は“サイトＤ”を表し、右端の矩形オブジェクト５８は“サイトＥ”を表している。
【００３１】
また、左端の矩形オブジェクト５４と左から２番目の矩形オブジェクト５５との間が２本の直線オブジェクト５９、６０で接続されており、これにより、サイトＡ−Ｂ間が２系統のデータ伝送経路で接続されていることを表している。同様に、左から２番目の矩形オブジェクト５５と中央の矩形オブジェクト５６との間が２本の直線オブジェクト６１、６２で接続されており、これにより、サイトＢ−Ｃ間が２系統のデータ伝送経路で接続されていることを表し、中央の矩形オブジェクト５６と右から２番目の矩形オブジェクト５７との間が３本の直線オブジェクト６３〜６５で接続されており、これにより、サイトＣ−Ｄ間が３系統のデータ伝送経路で接続されていることを表し、右から２番目の矩形オブジェクト５７と右端の矩形オブジェクト５８との間が４本の直線オブジェクト６６〜６９で接続されており、これにより、サイトＤ−Ｅ間が４系統のデータ伝送経路で接続されていることを表している。
【００３２】
なお、以上のサイト間接続レイアウトに特段の意味はない。説明の便宜のための一例に過ぎない。
【００３３】
ここで、クライアントエリアオブジェクト５３に配置された矩形オブジェクト５４〜５７のディフォルトカラー（規定色）プロパティ（属性）は、たとえば、明灰色（ライトグレー）であり、初期状態ではすべての矩形オブジェクト５４〜５７は同規定色で表示されるが、任意のサイトで障害が発生した場合、そのサイトに対応する矩形オブジェクトの表示色が上記の規定色から所定の警告色（オペレータに対して警告を行うことを意図した所定の色であり、たとえば、赤色等の目立つ色；以下「赤色」とする）に変更されるようになっている。なお、この警告色は、より目立たせるために点滅（ブリンク）させるようにしてもよい。以下、単に「警告色」という場合は、点滅の意味も含むものとする。
【００３４】
今、サイトＡの機器３５（図３参照）に何らかの障害が発生した場合を想定する。この場合は、まず、機器３５に実装されたＳＮＭＰエージェントでＳＮＭＰ−ＴＲＡＰが発生し、そのＳＮＭＰ−ＴＲＡＰをサイトＤのＳＮＭＰ部４４が受付け、それを該当するデバイスコントローラ３７〜３９に通知することにより、障害発生元の機器３５の動作情報が、デバイスコントローラ３７〜３９を経由してローカル／リモート監視端末３２のホストプログラム４０で収集される。
【００３５】
そして、ホストプログラム４０は、その収集情報に基づいて、グラフィカルユーザインターフェース部４１をコントロールし、ディスプレイ装置３２ｆに表示中の全体ネットワーク構成表示用ＧＵＩ画面５０の該当サイト（この場合は“サイトＡ”）の矩形オブジェクト５４の表示色を規定色（明灰色）から警告色（赤色）へと変更する。
【００３６】
図５は、警告表示中の全体ネットワーク構成表示用ＧＵＩ画面５０を示す図である。この図において、“サイトＡ”の矩形オブジェクト５４はハッチングで示されており、このハッチングは上記の「警告色」（及び点滅）を表している。
【００３７】
また、クライアントエリアオブジェクト５３に配置されたそれぞれの矩形オブジェクト５４〜５７のクリックイベント（又はダブルクリックイベントもしくは右クリックイベント）プロパティには、そのサイトの機器構成表示用ＧＵＩ画面のオープンイベントが設定されている。つまり、クライアントエリアオブジェクト５３に配置された矩形オブジェクト５４〜５７のいずれかをクリック（又はダブルクリックしもしくは右クリック）すると、その矩形オブジェクトに対応したサイトの機器構成表示用ＧＵＩ画面がオープンされるようになっている。
【００３８】
図６は、サイト機器構成表示用ＧＵＩ画面７０を示す図である。図示のサイト機器構成表示用ＧＵＩ画面７０も、上記の全体ネットワーク構成表示用ＧＵＩ画面５０と同様に、縦横固定サイズ又は可変サイズのウィンドウオブジェクト７１の上端にタイトルバーオブジェクト７２を配置すると共に、タイトルバーオブジェクト７２の下にクライアントエリアオブジェクト７３を配置した一般的なウィンドウレイアウト構成を有するが、クライアントエリアオブジェクト７３に、そのサイトの機器構成を模した図形オブジェクトを配する点で相違する。
【００３９】
すなわち、図示のサイト機器構成表示用ＧＵＩ画面７０を“サイトＡ”に対応したものとすると、クライアントエリアオブジェクト７３は、“サイトＡ”に設置されたすべての機器を表す図形（矩形オブジェクト７４〜９０）を適当な場所に配置し、且つ、各々の矩形オブジェクト７４〜９０の間をデータ伝送経路を表す直線オブジェクト（符号省略）で接続することにより、“サイトＡ”の実際の機器構成を模式化して表している。
【００４０】
なお、図示のサイト機器構成レイアウトに特段の意味はない。説明の便宜のための一例に過ぎない。
【００４１】
ここで、クライアントエリアオブジェクト７３に配置された矩形オブジェクト７４〜９０の規定色も、たとえば、明灰色であり、初期状態ではすべての矩形オブジェクト７４〜９０は同規定色で表示されるが、任意の機器で障害が発生していた場合、その機器に対応する矩形オブジェクトの表示色が上記の規定色から所定の警告色（赤色）に変更されるようになっている。
【００４２】
図において、矩形オブジェクト７４、７６、７８、７９、８０、８１、８２、８３、８４、９６、８７、８８、８９は現在ハッチングで示されており、これらのハッチングは上記の「警告色」（及び点滅）を表している。したがって、図示の例では、“サイトＡ”に設置された各機器のうち次の（１）〜（８）に示す機器に何らかの障害が発生していることを明示する。
（１）矩形オブジェクト７４、８３、８８：ルーティングスイッチ装置（ＴＳ＿ＳＷ）
（２）矩形オブジェクト７６：ネットワークインターフェース装置（ＮＩＵ＿２）
（３）矩形オブジェクト７８、７９：ハイビジョンテレビジョン放送信号用の圧縮装置（ＨＤ＿ＥＮＣ＿２／ＨＤ＿ＥＮＣ＿３）
（４）矩形オブジェクト８０、８１、８２：標準テレビジョン放送信号用の圧縮装置（ＳＤ＿ＥＮＣ＿１／ＳＤ＿ＥＮＣ＿２／ＳＤ＿ＥＮＣ＿３）
（５）矩形オブジェクト８４：マルチプレクサ（ＭＰＸ＿１）
（６）矩形オブジェクト８６：ハイビジョンテレビジョン放送信号用の伸張装置（ＨＤ＿ＤＥＣ＿ＭＯＮ）
（７）矩形オブジェクト８７：標準テレビジョン放送信号用の伸張装置（ＳＤ＿ＤＥＣ＿ＭＯＮ）
（８）矩形オブジェクト８９：ネットワークインターフェース装置（ＮＩＵ＿３）
このように、これらの二つのＧＵＩ画面（全体ネットワーク構成表示用ＧＵＩ画面５０及びサイト機器構成表示用ＧＵＩ画面７０）によれば、映像情報伝送ネットワークを構成するすべてのサイト及び各サイトに設置されたすべての機器を図形化してビジュアルに表示できると共に、任意のサイトに設置された機器のいずれかに障害が発生した場合は、その機器とサイト図形の表示色プロパティを変更して所定の障害色（赤色）とすることができ、オペレータに対して障害発生の告知とその障害箇所の明示を速やかに行うことができる。
【００４３】
また、サイト機器構成表示用ＧＵＩ画面７０において、任意の機器オブジェクト（矩形オブジェクト７４〜９０）の上にマウスカーソルを合わせると、その機器の動作状態を文字列で表示できる仕組みにもなっている。
【００４４】
図７は、その表示状態を示す図である。たとえば、障害発生中の矩形オブジェクト８０の上にマウスカーソル９１を合わせる（オンフォーカスする）と、そのオンフォーカスイベントに応答してバルーンテキストメッセージ９２が表示されるようになっており、このバルーンテキストメッセージ９２内に、当該矩形オブジェクト８０に対応した機器（ここでは“ＳＤ＿ＥＮＣ＿１”）の現在の動作状態を示す文字列（たとえば、障害中であれば“通信ができません”など）が表示されるようになっている。
【００４５】
３．アルゴリズム
次に、ローカル／リモート監視端末３２で実行されるデバイスコントローラ３７〜３９、ホストプログラム４０、及び、グラフィカルユーザインターフェース部４１の主要なアルゴリズムについて説明する。
【００４６】
図８は、デバイスコントローラ３７〜３９のアルゴリズムを示すその要部のフローチャートである。この図において、デバイスコントローラ３７〜３９は、まず、あらかじめ設定された所定のポーリングタイムのタイムアウトを判定し（ステップＳ１１）、タイムアウトでなければ再び同判定を繰り返し、タイムアウトであれば自サイト及び他サイトの機器からのＳＮＭＰ−ＴＲＡＰを受けて、それらの機器からのステータス（動作状態を表す情報）を取得する（ステップＳ１２）。そして、ステータスの内容にエラー情報が含まれているか否かを判定し（ステップＳ１３）、エラー情報が含まれていなければ再びポーリングタイムのタイムアウト判定に復帰し、一方、エラー情報が含まれている場合は、その旨をホストプログラム４０に通知（ステップＳ１４）した後、再びポーリングタイムのタイムアウト判定に復帰するという動作を繰り返す。
【００４７】
図９は、ホストプログラム４０のアルゴリズムを示すその要部のフローチャートである。この図において、ホストプログラム４０は、デバイスコントローラ３７〜３９からエラー通知が有ったか否かを判定し（ステップＳ２１）、エラー通知有りでなければ再び同判定を繰り返し、エラー通知有りであれば、その旨をグラフィカルユーザインターフェース部４１に通知（ステップＳ２２）した後、再びステップＳ２１の判定に復帰するという動作を繰り返す。
【００４８】
図１０は、グラフィカルユーザインターフェース部４１のアルゴリズムを示すその要部のフローチャートである。この図において、グラフィカルユーザインターフェース部４１は、ホストプログラム４０からエラー通知が有ったか否かを判定し（ステップＳ３１）、エラー通知有りでなければ、全体ネットワーク構成表示用ＧＵＩ画面５０の任意のサイト図形（矩形オブジェクト５４〜５８）が警告色表示中で、且つ、その警告色表示中のサイト図形がクリック（又はダブルクリックもしくは右クリック）されたか否かを判定し（ステップＳ３２）、その判定結果が“ＹＥＳ”の場合に、当該サイトに対応したサイト機器構成表示用ＧＵＩ画面７０をオープンする（ステップＳ３４）。
【００４９】
又は、サイト機器構成表示用ＧＵＩ画面７０がオープンされているときに、そのサイト機器構成表示用ＧＵＩ画面７０の任意の機器図形（矩形オブジェクト７４〜９０）が警告色表示中で、且つ、その警告色表示中の機器図形がオンフォーカスされたか否かを判定し（ステップＳ３３）、その判定結果が“ＹＥＳ”の場合に、その機器図形の上に当該機器の現在の動作状態を示す文字列をバルーンテキストメッセージ９２で表示する（ステップＳ３５）。
【００５０】
他方、ホストプログラム４０からのエラー通知有りを判定（ステップＳ３１の“ＹＥＳ”）した場合、以下の特徴的な処理を実行する。すなわち、所定のエラーマスクテーブル（後述）を参照し（ステップＳ３６）、ホストプログラム４０から通知されたエラーがそのエラーマスクテーブルに登録済みであるか否かを判定する（ステップＳ３７）。そして、登録済みでなければ、全体ネットワーク構成表示用ＧＵＩ画面５０の該当するサイト図形（矩形オブジェクト５４〜５８のいずれか）を警告色表示に変更すると共に、そのサイトに対応したサイト機器構成表示用ＧＵＩ画面７０の該当する機器図形（矩形オブジェクト７４〜９０のいずれか）を警告色表示に変更する（ステップＳ３８）が、ホストプログラム４０から通知されたエラーがエラーマスクテーブルに登録済みであれば、その通知エラーは、警告表示を行わずにマスクすべきエラーであると判断し、そのままステップＳ３１の処理に復帰する。
【００５１】
したがって、この特徴的な処理によれば、エラーマスクテーブルに未登録のエラーが通知された場合にのみ、全体ネットワーク構成表示用ＧＵＩ画面５０の該当するサイト図形（矩形オブジェクト５４〜５８のいずれか）を警告色表示に変更すると共に、そのサイトに対応したサイト機器構成表示用ＧＵＩ画面７０の該当する機器図形（矩形オブジェクト７４〜９０のいずれか）を警告色表示に変更する（ステップＳ３８）ので、冒頭で説明した軽度エラー（伝送そのものに大きな影響を与えない一時的な障害）をエラーマスクテーブルに登録しておくことにより、軽度エラー以外の一刻も早い復旧を要する致命的エラーだけを全体ネットワーク構成表示用ＧＵＩ画面５０とサイト機器構成表示用ＧＵＩ画面７０とに表示することができる。これにより、エラーマスクテーブルに登録済のエラーについては、警告表示を行わないようにして、監視作業の混乱と煩わしさを解消することができる。
【００５２】
４．エラーマスク指定用ユーザインターフェース
図１１は、エラーマスクテーブル表示用のＧＵＩ画面１００を示す図である。このＧＵＩ画面１００は、ウィンドウオブジェクト１０１の上端にタイトルバーオブジェクト１０２を配置すると共に、タイトルバーオブジェクト１０２の下にクライアントエリアオブジェクト１０３を配置し、そのクライアントエリアオブジェクト１０３に、エラーマスクテーブル表示用のリストボックスコントロール１０４と、登録済みエラーマスクデータ変更用の変更コマンドボタンコントロール１０５と、エラーマスクデータ追加用の追加コマンドボタンコントロール１０６と、エラーマスクデータ削除用の削除コマンドボタンコントロール１０７と、変更／追加／削除の各操作を決定するための決定コマンドボタンコントロール１０８と、ＧＵＩ画面１００を閉じる（クローズする）ための終了コマンドボタンコントロール１０９とを配置している。
【００５３】
リストボックスコントロール１０４は複数のレコード（行）からなり、各行は、操作名フィールド１０４ａ、対象サイト名フィールド１０４ｂ、対象デバイス（機器）名フィールと１０４ｃ及びエラーコードフィールド１０４ｄなどで構成されている。リストボックスコントロール１０４の反転行は現在の選択行を表しており、この選択行には、たとえば、操作名：“ケーブルルート伝送切替時”、対象サイト名：“サイトＡ”、対象デバイス名：“ＳＤ＿ＤＥＣ”、エラーコード：“００３Ｄ２２００”などというマスク対象のエラー情報が登録されている。ちなみに、このエラーマスク情報は、「ケーブルルート伝送切替時にサイトＡのＳＤ＿ＤＥＣで発生する００３Ｄ２２００というエラーは伝送そのものに大きな影響を与えない一時的な障害（軽度エラー）であり、無視しても構わない」ものであることを意味する。
【００５４】
リストボックスコントロール１０４に登録されているエラーマスク情報は、映像情報伝送ネットワークシステムの設置業者等によって事前に設定されたものであってもよく、あるいは、ユーザレベルでその都度追加登録されるものであってもよい。エラーマスク情報を追加する場合は、追加コマンドボタンコントロール１０６をクリックすればよく、又は、エラーマスク情報を変更する場合は、変更コマンドボタンコントロール１０５をクリックすればよい。
【００５５】
図１２は、エラーマスク情報の追加登録用ＧＵＩ画面１２０と同情報の変更登録用ＧＵＩ画面１３０とを示す図である。追加登録用ＧＵＩ画面１２０は、エラーマスクテーブル表示用のＧＵＩ画面１００の追加コマンドボタンコントロール１０６をクリックした時にオープンされ、また、変更登録用ＧＵＩ画面１３０は、エラーマスクテーブル表示用のＧＵＩ画面１００の変更コマンドボタンコントロール１０５をクリックした時にオープンされる。
【００５６】
追加登録用ＧＵＩ画面１２０及び変更登録用ＧＵＩ画面１３０はそれぞれ、操作名選択用のリストボックスコントロール１２１、１３１、対象サイト選択用リストボックスコントロール１２２、１３２、対象デバイス名選択用リストボックスコントロール１２３、１３３、エラーコード選択用リストボックスコントロール１２４、１３４、ＯＫコマンドボタンコントロール１２５、１３５、キャンセルコマンドボタンコントロール１２６、１３６を備える。
【００５７】
オペレータは、各リストボックスコントロールの所望項目を選択し、あるいは、所望項目がなければ任意の文字列を入力し、追加又は変更を行う場合にはＯＫコマンドボタンコントロール１２５、１３５をクリックすればよい。あるいは、追加又は変更を行わない場合はキャンセルコマンドボタンコントロール１２６、１３６をクリックすればよい。
【００５８】
５．まとめ
以上のとおりであるから、本実施の形態においては、以下の効果を奏することができる。
（Ａ）　各サイトの動作状態と各サイト設置された機器の動作状態を、ローカル／リモート監視端末３２の全体ネットワーク構成表示用ＧＵＩ画面５０とサイト機器構成表示用ＧＵＩ画面７０にグラフィカルに表示し、且つ、障害が発生したサイトの図形と機器の図形を所定の警告色（赤色点滅）に変更すると共に、伝送に大きな影響を与えない一時的な障害（軽度エラー）については当該エラーをマスクして警告色への変更を行わないようにしたので、そのまま放置しても差し支えない軽度のエラーをマスクして無視することができ、監視作業の混乱回避と煩わしさの解消を図ることができるうえ、オペレータは致命的エラーの発生にだけ注意を払えばよいので、監視作業の信頼性向上も図ることができる。
（Ｂ）　また、マスクすべきエラーの種類をユーザ段階で自由に登録できるようにしたので、映像情報伝送ネットワークシステムの構成に応じて柔軟に警告／非警告の組み合わせを設定することができ、多種多様なシステムに対する汎用性を高めることができる。
【００５９】
なお、本実施の形態の主要な機能は、マイクロコンピュータを含むハードウェアリソースと、ＯＳや各種プログラムなどのソフトウェアリソースとの有機的結合によって機能的に実現されるものであるが、ハードウェアリソースおよびＯＳは汎用のものを利用できるから、本発明にとって欠くことのできない必須の事項は、実質的に、前記デバイスコントロール３７〜３９、ホストプログラム４０及びグラフィカルユーザインターフェース部４１に集約されているということがいえる。したがって、本発明は、前記デバイスコントロール３７〜３９、ホストプログラム４０及びグラフィカルユーザインターフェース部４１を実現するためのプログラムのすべてまたはその要部を包含し、さらに、それらのプログラムのすべて又は一部を格納した、フレキシブルディスク、光ディスク、磁気ディスク、半導体メモリなどの記録媒体（それ自体が流通経路に乗るものはもちろん、ネットワーク上にあって記録内容だけを提供するものも含む）を包含する。
【００６０】
【発明の効果】
本発明によれば、ネットワーク上に散在する各サイト及び各サイトに設置された機器のいずれかに障害が発生した場合、その障害内容に応じた情報が収集手段によって収集され、モニター画面上の該当する図形の表示属性が変更される。これにより、オペレータに対して所要の警告が与えられるが、収集された情報が所定の軽度エラーを示している場合は、警告は行われない。したがって、そのまま放置しても差し支えない軽度のエラーをマスクして無視することができ、監視作業の混乱回避と煩わしさの解消を図ることができる。
又、本発明の好ましい態様によれば、警告を行わない軽度エラーの種類を適宜に指定できるため、システムの構成に応じて柔軟に警告／非警告の組み合わせを設定することができ、多種多様なシステムに対する汎用性を高めることができる。
【図面の簡単な説明】
【図１】映像情報ネットワークの概念構成図である。
【図２】リモート端末２０〜２２及びローカル／リモート監視端末３２の概念構成図である。
【図３】サイトＤに設置されたローカル／リモート監視端末３２とサイトＡに設置されたローカル監視端末２０のアプリケーション構造図である。
【図４】全体ネットワーク構成表示用ＧＵＩ画面５０のレイアウト図である。
【図５】警告表示中の全体ネットワーク構成表示用ＧＵＩ画面５０を示す図である。
【図６】サイト機器構成表示用ＧＵＩ画面７０を示す図である。
【図７】バルーンテキストメッセージ９２の表示状態図である。
【図８】デバイスコントローラ３７〜３９のアルゴリズムを示すその要部のフローチャートである。
【図９】ホストプログラム４０のアルゴリズムを示すその要部のフローチャートである。
【図１０】グラフィカルユーザインターフェース部４１のアルゴリズムを示すその要部のフローチャートである。
【図１１】エラーマスクテーブル表示用のＧＵＩ画面１００を示す図である。
【図１２】エラーマスク情報の追加登録用ＧＵＩ画面１２０と同情報の変更登録用ＧＵＩ画面１３０とを示す図である。
【図１３】テレビジョン放送素材等の映像情報伝送ネットワークを示す概念図である。
【符号の説明】
３２……ローカル／リモート監視端末（サイト状態監視装置）、３２ａ……ＣＰＵ（表示手段、収集手段、属性変更手段、指定手段）、３２ｆ……ディスプレイ装置（表示手段）、３７〜３９……デバイスコントローラ（収集手段）、４０……ホストプログラム（表示手段、収集手段）、４１……グラフィカルユーザインターフェース（表示手段、属性変更手段、指定手段）、４４……ＳＮＭＰ部（収集手段）。
【図１】
2004078369.tif 000003
【図２】
2004078369.tif 000004
【図３】
2004078369.tif 000005
【図４】
2004078369.tif 000006
【図５】
2004078369.tif 000007
【図６】
2004078369.tif 000008
【図７】
2004078369.tif 000009
【図８】
2004078369.tif 000010
【図９】
2004078369.tif 000011
【図１０】
2004078369.tif 000012
【図１１】
2004078369.tif 000013
【図１２】
2004078369.tif 000014
【図１３】
2004078369.tif 000015